(57)【要約】【課題】  芳香又はビタミン顆粒により良い匂いが発生できる扇風機を提供する。【解決手段】  後網体１１と、前網体１３と、外側に複数の羽根１６が設けられる芯部１７とを備え、前記後網体１１は縁部によって前網体１３と結合され、該前網体１３の中央にリング部１５を有する中心孔１４が形成され、該リング部１５に嵌合孔１５１が形成され、又、前記羽根１６を有する芯部１７が前網体１３と後網体１１との間に収容されるヘッド部１０と、中央に収容部２１が形成され、該収容部２１に複数の通気孔２１３が形成され、背面に嵌合フックが設けられると共に、該嵌合フックの隣に第１嵌合溝２４が形成される本体２０と、中央に複数の通気孔を有する面板が設けられ、周縁に前記第１嵌合溝２３に対応する嵌合フック３２が設けられることにより、中心カバー３０と本体２０との間に収容空間が形成され、該収容空間に顆粒状の香料が収容される構成とした。【選択図】  図１
0003109509.tif 000002
【実用新案登録請求の範囲】
【請求項１】
後網体と、前網体と、外側に複数の羽根が設けられる芯部とを備え、前記後網体は縁部によって前網体と結合され、該前網体の中央にリング部を有する中心孔が形成され、該リング部に嵌合孔が形成され、又、前記羽根を有する芯部が前網体と後網体との間に収容されるヘッド部と、
中央に収容部が形成され、該収容部に複数の通気孔が形成され、背面に嵌合フックが設けられると共に、該嵌合フックの隣に第１嵌合溝が形成される本体と、
中央に複数の通気孔を有する面板が設けられ、周縁に前記第１嵌合溝に対応する嵌合フックが設けられることにより、中心カバーと本体との間に収容空間が形成され、該収容空間に顆粒状の香料が収容されることを特徴とする良い匂いが発生できる扇風機。
【請求項２】
前記本体は円盤状であり、該収容部の中央に複数の突出部が設けられ、各突出部の間に支持リブが設けられ、該収容部と突出部にその形状に応じて複数の通気孔が形成され、又、該本体の背面の周縁に間隔するように複数の第２嵌合溝が設けられ、
前記中心カバーの外側にカバーが設けられ、該カバーは中央に面板が設けられる円盤状であり、該面板の周縁に複数の通気孔が形成されると共に、外縁に前記第２嵌合溝に対応する嵌合フックが設けられることにより、カバーが本体と結合されることを特徴とする請求項1に記載の良い匂いが発生できる扇風機。
【請求項３】
前記本体の背面に支持フレームが設けられ、該支持フレームは中央に支持リブが設けられる円盤状であり、該支持リブに複数の通気孔が形成され、又、支持フレームと本体との間に濾過部材が設けられ、該支持フレームの外縁に本体と嵌合するための嵌合フックが設けられることを特徴とする請求項1又は２に記載の良い匂いが発生できる扇風機。
【考案の詳細な説明】
【技術分野】
【０００１】
本考案は、特に芳香又はビタミン顆粒により良い匂いが発生できる扇風機に関するものである。
【背景技術】
【０００２】
図７に示すように、従来の扇風機は内部にモータを有する駆動部材（符号なし）と連接されるヘッド部９０を有し、該ヘッド部９０は中央に駆動部材を収容するため取付孔９１１が形成される後網体９１と、縁部９２で後網体９１と結合され、中央にリング部９４を有する中心孔９３１が形成されると共に、該リング部９４に２つの嵌合孔９４１が形成される前網体９３と、周縁に前記嵌合孔９４１に対応する嵌合フック９５１が設けられる中心カバー９５と、外側に複数の羽根９６が設けられると共に、前記後網体９１と前網体９３との間に位置される芯部９７とを備える。
【考案の開示】
【考案が解決しようとする課題】
【０００３】
しかしながら、前記の扇風機は、空気を循環すると共に、温度を降下する効果を有するだけで、他の付加効果を有していない。
【０００４】
そこで、案出されたのが本考案であって、空気を循環すると共に、温度を降下する効果を有するだけでなく、芳香又はビタミン顆粒などの香料により良い匂いが発生できる扇風機を提供することを目的としている。
【課題を解決するための手段】
【０００５】
本願の請求項１の考案は、後網体と、前網体と、外側に複数の羽根が設けられる芯部とを備え、前記後網体は縁部によって前網体と結合され、該前網体の中央にリング部を有する中心孔が形成され、該リング部に嵌合孔が形成され、又、前記羽根を有する芯部が前網体と後網体との間に収容されるヘッド部と、中央に収容部が形成され、該収容部に複数の通気孔が形成され、背面に嵌合フックが設けられると共に、該嵌合フックの隣に第１嵌合溝が形成される本体と、中央に複数の通気孔を有する面板が設けられ、周縁に前記第１嵌合溝に対応する嵌合フックが設けられることにより、中心カバーと本体との間に収容空間が形成され、該収容空間に顆粒状の香料が収容されることを特徴とする。
【０００６】
本願の請求項２の考案は、請求項1に記載の良い匂いが発生できる扇風機において、前記本体は円盤状であり、該収容部の中央に複数の突出部が設けられ、各突出部の間に支持リブが設けられ、該収容部と突出部にその形状に応じて複数の通気孔が形成され、又、該本体の背面の周縁に間隔するように複数の第２嵌合溝が設けられ、前記中心カバーの外側にカバーが設けられ、該カバーは中央に面板が設けられる円盤状であり、該面板の周縁に複数の通気孔が形成されると共に、外縁に前記第２嵌合溝に対応する嵌合フックが設けられることにより、カバーが本体と結合されることを特徴とする。
【０００７】
本願の請求項３の考案は、請求項１又は２に記載の良い匂いが発生できる扇風機において、前記本体の背面に支持フレームが設けられ、該支持フレームは中央に支持リブが設けられる円盤状であり、該支持リブに複数の通気孔が形成され、又、支持フレームと本体との間に濾過部材が設けられ、該支持フレームの外縁に本体と嵌合するための嵌合フックが設けられることを特徴とする。
【考案の効果】
【０００８】
本考案は上記の課題を解決するものであり、前網体の中央に顆粒状の香料を収容すると共に、複数の通気孔を有する本体が設けられることにより、羽根が駆動される際、良い匂いを発生することができ、又、良い匂いが淡くなる場合、本体をチェンジするだけで、再び良い匂いを発生することができ、非常に便利である。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１は本考案に係る良い匂いが発生できる扇風機の第１実施例を示す分解斜視図であり、図２は本考案に係る良い匂いが発生できる扇風機の本体、中心カバー及びカバーを示す分解斜視図であり、図３は本考案に係る良い匂いが発生できる扇風機における本体と中心カバー及びカバーを示す他の分解斜視図であり、図４は本考案に係る良い匂いが発生できる扇風機の第１実施例を示す断面図であり、図５は本考案に係る良い匂いが発生できる扇風機の第２実施例を示す分解斜視図であり、図６は本考案に係る良い匂いが発生できる扇風機の第２実施例を示す断面図である。
【実施例１】
【００１１】
図１乃至図３に示すように、本考案に係る良い匂いが発生できる扇風機は、ヘッド部１０と、本体２０と、中心カバー３０と、カバー４０と、本体２０と中心カバー３０との間に設けられる収容部に装填された顆粒状の香料とを有する。
【００１２】
前記ヘッド部１０は、後網体１１と、前網体１３と、外側に複数の羽根１６が設けられる芯部１７とを備え、前記後網体１１は縁部１２によって前網体１３と結合され、該前網体１３の中央にリング部１５を有する中心孔１４が形成され、該リング部１５に嵌合孔１５１が形成され、又、前記羽根１６を有する芯部１７が前網体１３と後網体１１との間に収容される。
【００１３】
前記本体２０は、中央に収容部２１が形成される円盤状であり、該収容部２１の中央に複数の突出部２１１が設けられ、各突出部２１１の間に支持リブ２１２が設けられ、該収容部２１と突出部２１１にその形状に応じて複数の通気孔２１３が形成され、又、本体２０の背面に嵌合フック２２が設けられると共に、該嵌合フック２２の隣に第１嵌合溝２３が形成され、又、同面の周縁に間隔するように複数の第２嵌合溝２４とロッド２５が設けられる。
【００１４】
前記中心カバー３０は、中央に面板３１が設けられる円盤状であり、該面板３１に前記突出部２１１及び支持リブ２１２に対応する複数の通気孔３３が形成され、又、該中心カバー３０の周縁に前記第１嵌合溝２３に対応する嵌合フック３２が設けられることにより、中心カバー３０と本体２０との間に収容空間が形成され、該収容空間に顆粒状の香料が収容される。
【００１５】
前記カバー４０は中央に面板４１が設けられる円盤状であり、該面板４１の周縁に複数の通気孔４２が形成されると共に、外縁に前記第２嵌合溝２４に対応する嵌合フック４３が設けられることにより、カバー４０が本体２０と結合される。
【００１６】
本考案に係る良い匂いが発生できる扇風機の第１実施例は、本体２０の収容部２１に顆粒状の香料を収容し、嵌合フック３２と第１嵌合溝２３との嵌合によって中心カバー３０を本体２０と結合させ、嵌合フック４３と第２嵌合溝２４との嵌合によってカバー４０を本体２０と結合させることにより、羽根１６の回動による送風により顆粒状の香料から良い匂いを発生することができる。
【実施例２】
【００１７】
又、図５及び図６に示すように、本考案に係る良い匂いが発生できる扇風機の第２実施例は、前記第１実施例と殆ど等しく、異なるのは、前記本体２０の背面に支持フレーム５０が設けられ、該支持フレーム５０は中央に支持リブ５１が設けられる円盤状であり、該支持リブ５１に複数の通気孔５２が形成され、又、支持フレーム５０と本体２０との間に濾過部材５３が設けられ、又、該支持フレーム５０の外縁に本体２０と嵌合するための嵌合フック５４が設けられたところである。
【産業上の利用可能性】
【００１８】
本考案は上記の構成を有するので、前網体の中央に顆粒状の香料を収容すると共に、複数の通気孔を有する本体が設けられることにより、羽根が駆動される際、良い匂いを発生することができ、又、良い匂いが淡くなった場合、本体をチェンジするだけで再び良い匂いを発生することができ、非常に便利である。
【図面の簡単な説明】
【００１９】
【図１】本考案に係る良い匂いが発生できる扇風機の第１実施例を示す分解斜視図である。
【図２】本考案に係る良い匂いが発生できる扇風機の本体、中心カバー及びカバーを示す分解斜視図である。
【図３】本考案に係る良い匂いが発生できる扇風機の本体、中心カバー及びカバーを示す他の分解斜視図である。
【図４】本考案に係る良い匂いが発生できる扇風機の第１実施例を示す断面図である。
【図５】本考案に係る良い匂いが発生できる扇風機の第２実施例を示す分解斜視図である。
【図６】本考案に係る良い匂いが発生できる扇風機の第２実施例を示す断面図である。
【図７】従来の扇風機を示す分解斜視図である。
【符号の説明】
【００２０】
１０，９０      ヘッド部
１１，９１      後網体
１２，９２      縁部
１３，９３      前網体
１４，９３１    中心孔
１５，９４      リング部
１５１，９４１  嵌合孔
１６，９６      羽根
１７，９７      芯部
２０            本体
２１            収容部
２１１          突出部
２１２          支持リブ
２１３，３３    通気孔
４２，５２      通気孔
２２，３２      嵌合フック
４３，５４      嵌合フック
９５１          嵌合フック
２３            第１嵌合溝
２４            第２嵌合溝
２５            ロッド
３０，９５      中心カバー
３１，４１      面板
４０            カバー
５０            支持フレーム
５１            支持リブ
５２            通気孔
５３            濾過部材
【図１】
0003109509.tif 000003
【図２】
0003109509.tif 000004
【図３】
0003109509.tif 000005
【図４】
0003109509.tif 000006
【図５】
0003109509.tif 000007
【図６】
0003109509.tif 000008
【図７】
0003109509.tif 000009